(57)【要約】 【課題】より高い広告効果を発揮する。【解決手段】位置情報を有する携帯端末と通信自在な表示装置である。表示装置は、携帯端末と近距離通信を行うための近距離通信部と、近距離通信部を介して取得した携帯端末からの情報を基に景品情報を決定する制御部とを備えている。制御部は、携帯端末の位置情報から特定された携帯端末の主要滞在エリアと表示装置との距離に基づいて景品情報の内容を決定する。【選択図】図２
2014183526.tif 000002
【特許請求の範囲】
【請求項１】
位置情報を有する携帯端末と通信自在な表示装置において、
前記携帯端末と通信を行うための通信部と、
前記通信部を介して取得した前記携帯端末からの情報を基に景品情報を決定する制御部とを備え、
前記制御部は、前記携帯端末の位置情報から特定された前記携帯端末の主要滞在エリアと前記表示装置との距離に基づいて前記景品情報の内容を決定することを特徴とする表示装置。
【請求項２】
請求項１記載の表示装置において、
前記制御部は、決定した前記景品情報を前記通信部から前記携帯端末に出力させることを特徴とする表示装置。
【請求項３】
請求項１又は２記載の表示装置において、
前記位置情報は、前記携帯端末が接続した基地局に基づき作成されていることを特徴とする表示装置。
【請求項４】
請求項１〜３のいずれか一項に記載の表示装置において、
前記制御部は、前記主要滞在エリアが所定の距離毎の区間に位置するかを特定し、当該特定された区間によって前記景品情報の内容を決定することを特徴とする表示装置。
【請求項５】
請求項４記載の表示装置において、
前記制御部は、前記特定された区間内における前記主要滞在エリアの位置に基づいて前記景品情報の当選確率を変更することを特徴とする表示装置。
【請求項６】
請求項１〜５のいずれか一項に記載の表示装置において、
前記通信部は、近距離通信によって前記携帯端末と通信を行う近距離通信部であることを特徴とする表示装置。
【請求項７】
請求項１〜６のいずれか一項に記載の表示装置において、
前記景品情報に基づいて当選か否かを決定するくじ引き手段と、
前記くじ引き手段が当選したと決定した場合に、前記携帯端末に前記景品情報を前記通信部によって送信する通信制御部とを備えたことを特徴とする表示装置。
【請求項８】
請求項１〜７のいずれか一項に記載の表示装置において、
映像光を照射する投影部と、
前記投影部から照射された映像光を背面で受けて前面に投影する人型のスクリーン部とを備えることを特徴とする表示装置。
【請求項９】
位置情報を有する携帯端末と通信自在な表示装置と、
前記表示装置とネットワークを介して接続されたサーバとを備え、
前記表示装置は、
前記携帯端末と近距離通信を行うための近距離通信部と、
前記サーバと通信を行うための通信部とを備え、
前記サーバは、
前記近距離通信部を介して前記表示装置が取得した前記携帯端末からの情報が前記通信部から入力されると、前記携帯端末の位置情報から特定された前記携帯端末の主要滞在エリアと前記表示装置との距離に基づいて景品情報の内容を決定し、当該決定した前記景品情報を前記表示装置に出力することを特徴とする表示システム。
【発明の詳細な説明】
【技術分野】
【０００１】
本発明は、表示装置及び表示システムに係り、特に携帯端末との通信が可能な表示装置及び表示システムに関する。
【背景技術】
【０００２】
従来、例えばデジタルサイネージ装置などの表示装置においては、広告画像の内容を容易に変更することができるため、最新の情報を常に閲覧者に提供できる点で優れた広告効果を発揮する（例えば特許文献１参照）。
近年では、ユーザが所有する携帯端末と表示装置とを通信させることにより、表示中の広告内容に関連した景品（例えばクーポン券など）を表示装置から携帯端末へと転送する技術も開発されている。
【先行技術文献】
【特許文献】
【０００３】
【特許文献１】特開２０１２−１２８２１０号公報
【発明の概要】
【発明が解決しようとする課題】
【０００４】
ところで、景品発行型の表示装置であっても広告効果をより高めることが望まれている。
そこで本発明の課題は、より高い広告効果を発揮することのできる表示装置及び表示システムを提供することである。
【課題を解決するための手段】
【０００５】
以上の課題を解決するため、本発明の一の態様によれば、
位置情報を有する携帯端末と通信自在な表示装置において、
前記携帯端末と通信を行うための通信部と、
前記通信部を介して取得した前記携帯端末からの情報を基に景品情報を決定する制御部とを備え、
前記制御部は、前記携帯端末の位置情報から特定された前記携帯端末の主要滞在エリアと前記表示装置との距離に基づいて前記景品情報の内容を決定することを特徴とする表示装置が提供される。
【発明の効果】
【０００６】
本発明によれば、より高い広告効果を発揮することができる。
【図面の簡単な説明】
【０００７】
【図１】本実施形態に係る表示システムの概略構成を示すブロック図である。
【図２】本実施形態に係るデジタルサイネージ装置の主制御構成を示すブロック図である。
【図３】本実施形態に係るスクリーン部の概略構成を示す正面図である。
【図４】本実施形態に係る携帯端末の主要滞在エリアとデジタルサイネージ装置との距離に基づく景品情報の変更例について示す説明図である。
【図５】本実施形態に係る携帯端末の主制御構成を示すブロック図である。
【図６】本実施形態に係るホーム基地局判断処理の流れを示すフローチャートである。
【図７】本実施形態に係る当たり判定処理の流れを示すフローチャートである。
【図８】本実施形態に係る景品情報決定処理の流れを示すフローチャートである。
【発明を実施するための形態】
【０００８】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【０００９】
図１は本実施形態に係る表示システムの概略構成を示すブロック図である。表示システム１には、本発明に係る表示装置としてのデジタルサイネージ装置２と、ネットワークＮを介してデジタルサイネージ装置２に通信自在なサーバ３と、例えばＮＦＣなどの近距離無線通信技術によってデジタルサイネージ装置２に通信自在な携帯端末４とが備えられている。
【００１０】
図２はデジタルサイネージ装置２の主制御構成を示すブロック図である。デジタルサイネージ装置２は、人物画像の映像光を照射する投影部２１と、投影部２１から照射された映像光を背面で受けて前面に投影する人型のスクリーン部２２とを備えている。
【００１１】
投影部２１は、画像や音声からなるコンテンツデータに基づいて各部を制御する制御部２３と、制御部２３に接続され、当該制御部２３から出力された映像データを映像光に変換してスクリーン部２２に向けて照射するプロジェクタ２４と、各コンテンツデータを記憶する記憶部２５と、ネットワークＮを介してサーバ３と通信する通信部２６とを備えている。
【００１２】
次に、スクリーン部２２について説明する。
図３は、スクリーン部２２の概略構成を示す正面図である。図３に示すようにスクリーン部２２には、人物の上半身が表示される表示部２７と、表示部２７を支持する台座２８とが備えられている。
表示部２７の外形は人物の上半身を模した形状に形成されている。表示部２７は、映像光の照射方向に対して略直交する例えばアクリル板などの一枚の透光板２９により形成されている。透光板２９の背面には背面投影用のフィルムスクリーンが積層され、なおかつフィルムスクリーンの背面にはフィルム状のフレネルレンズが積層されている。そして、表示部２７における人物の目に対応する部分には、例えばカメラなどの撮像部３０が設けられている。この撮像部３０が表示部２７に対向する空間の映像をリアルタイムに撮像している。
台座２８には、携帯端末４と近距離通信し携帯端末４に対して情報を読み書きするためのリーダライター部（近距離通信部）３１と、ボタン式の操作部３２と、スピーカなどの音声出力部３３と、マイクなどの音声入力部３４とが設けられている。
リーダライター部３１、操作部３２、音声出力部３３、音声入力部３４及び撮像部３０は、図２に示すように制御部２３に接続されている。
【００１３】
記憶部２５には、各コンテンツデータ以外にも景品情報が記憶されている。景品情報とは、デジタルサイネージ装置２と携帯端末４とが通信をする際に実行されるくじ引きに関する情報であり、くじ引きの当選確率や、当選時に提供される景品の内容等を含んでいる。
【００１４】
この景品情報は、携帯端末４の主要滞在エリアとデジタルサイネージ装置２との距離に基づいて決定されるようになっている。
図４は、携帯端末４の主要滞在エリアとデジタルサイネージ装置２との距離に基づく景品情報の変更例について示す説明図である。
携帯端末４のユーザは、夜間勤務者以外であると大抵の場合深夜帯に自宅に滞在しているものと考えられる。また、夜間勤務者であっても所定の時間帯には自宅に滞在していることが想定される。つまり、時間帯は異なるもののいずれのユーザでも一日のうち特定の時間帯には自宅に滞在しているのが一般的である。ここで、多数の基地局５０のうち、自宅滞在時に携帯端末４が接続しているホーム基地局を特定できれば、携帯端末４の主要滞在エリアを特定することが可能である。
【００１５】
本実施形態では、携帯端末４の主要滞在エリアとデジタルサイネージ装置２との距離に基づいて景品情報の内容が変更されるようになっている。
例えば、デジタルサイネージ装置２から所定距離だけ離れた地点を基準値Ｐとする。基準値Ｐよりも近距離となる区間を近距離区間Ｒ１、基準値Ｐよりも遠距離となる区間を遠距離区間Ｒ２とする。なお、本実施形態では２つの区間で説明するが、これに限らず所定距離毎に区間を分けてもよい。
主要滞在エリアが近距離区間Ｒ１である場合は商品群Ａから景品を選択する。また、この場合の当選確率はデジタルサイネージ装置２に近いほど低く、遠いほど高く設定されている。近距離用の商品群Ａは、近距離在住者に対する商品群となるのでリピート率を高める効果が望める商品構成となっている。具体的には、来週から使えるが有効期限の短いクーポン券などである。
他方、主要滞在エリアが遠距離区間Ｒ２である場合は商品群Ｂから景品を選択する。この場合においても当選確率はデジタルサイネージ装置２に近いほど低く、遠いほど高く設定されている。遠距離用の商品群Ｂは、遠距離在住者に対する商品群となるのでその場での満足度を高める効果が望める商品構成となっている。具体的には、その場で還元でき、割引率も商品群Ａのものよりも高めのクーポン券などである。
【００１６】
各区間Ｒ１，Ｒ２とも多数の基地局５０が存在しているが、便宜上、図４においては近距離区間Ｒ１内の近い側に第一基地局５１、遠い側に第二基地局５２を図示し、遠距離区間Ｒ２内の近い側に第三基地局５３、遠い側に第四基地局５４を図示している。
例えば、第一基地局５１の通信エリアを主要滞在エリアとする場合、商品群Ａから景品が選択され、当選確率は比較的低くなる。第二基地局５２の通信エリアを主要滞在エリアとする場合、商品群Ａから景品が選択され、当選確率は比較的高くなる。
また、第三基地局５３の通信エリアを主要滞在エリアとする場合、商品群Ｂから景品が選択され、当選確率は比較的低くなる。第四基地局５４の通信エリアを主要滞在エリアとする場合、商品群Ｂから景品が選択され、当選確率は比較的高くなる。
【００１７】
制御部２３はリーダライター部３１に対して携帯端末４がかざされると、読み取り時においては携帯端末４に記憶されている情報を、リーダライター部３１を介して読み出す。他方、書き込み時においては制御部２３は書き込み情報を、リーダライター部３１を介して携帯端末４に記憶させる。
制御部２３は、リーダライター部３１を介して携帯端末４から入力された情報内にホーム基地局を示す識別情報がある場合には、当該識別情報からホーム基地局がカバーするエリア（主要滞在エリア）を判断し、この主要滞在エリアとデジタルサイネージ装置２との距離に基づいて景品情報の内容を決定する。具体的には制御部２３は記憶部２５内にある景品情報の一覧から、主要滞在エリアとデジタルサイネージ装置２との距離に基づいて最適なものを選択し、景品情報の内容を決定する。そして、制御部２３は、決定した景品情報をリーダライター部３１から携帯端末４に出力させる。
【００１８】
また、制御部２３は、操作部３２からの操作信号に基づいて、操作内容に関連したコンテンツデータを記憶部２５から読み出し、プロジェクタ２４及び音声出力部３３を制御する。
制御部２３は、撮像部３０から得られた画像や、音声入力部３４から得られた音声を解析し、その解析内容に関連したコンテンツデータを記憶部２５から読み出して、プロジェクタ２４及び音声出力部３３を制御する。
制御部２３は、携帯端末４からの情報や、操作部３２からの操作信号によっては、通信部２６を制御してサーバ３と通信を行う。通信により得られた情報は記憶部２５に格納される。
【００１９】
図５は、携帯端末４の主制御構成を示すブロック図である。
携帯端末４は、例えば携帯電話、スマートフォン、タブレット式端末などの携帯機器である。図５に示すように携帯端末４には、例えば表示部４１と、操作部４２と、通信部４３と、近距離通信部４４と、記憶部４５と、これらを制御する制御部４６とが設けられている。
表示部４１は例えば液晶パネルや有機ＥＬパネルなどから構成されている。
操作部４２は例えばタッチパネルや、操作キーなどである。
通信部４３は３ＧやＬＴＥ、Ｗｉ−Ｆｉなどの規格に応じた通信を行う。
近距離通信部４４は例えばＮＦＣなどの近距離無線通信技術によってデジタルサイネージ装置２のリーダライター部３１と通信を行う。
記憶部４５には、デジタルサイネージ装置２との通信を行うためのアプリケーションが記憶されている。デジタルサイネージ装置２との通信を行うためのアプリケーションとしては、クーポン取得アプリなどが挙げられる。また、記憶部４５には、通信部４３が接続した各地の基地局の識別情報（例えば基地局ＩＤ番号等）が記憶されている。
ユーザによってクーポン取得アプリを起動した後に、近距離通信部４４がデジタルサイネージ装置２のリーダライター部３１に接近すると、制御部４６は近距離通信部４４及びリーダライター部３１を介してデジタルサイネージ装置２と情報の送受を実行する。
【００２０】
次に、本実施形態の作用について説明する。
まず、携帯端末４で実行されるホーム基地局判断処理について説明する。図６はホーム基地局判断処理の流れを示すフローチャートである。なお、携帯端末４の制御部４６は、クーポン取得アプリを実行するとそれ以降バックグラウンドでホーム基地局判断処理を実行し続ける。
【００２１】
ステップＳ１では、制御部４６は、現在の通信部４３の通信可能な通信種類が３Ｇ及び／又はＬＴＥであるか、Ｗｉ−Ｆｉであるかを判断し、３Ｇ及び／又はＬＴＥである場合にはステップＳ２に移行し、Ｗｉ−Ｆｉである場合にはステップＳ４に移行する。
【００２２】
ステップＳ２では、制御部４６は、現在接続している基地局５０の識別情報を取得し、ステップＳ３に移行する。
ステップＳ３では、制御部４６は、現在の時刻が所定時間帯内であるか否かを判断し、所定時間帯である場合にはステップＳ６に移行し、所定時間帯でない場合にはステップＳ１に移行する。
ここで所定時間とは、携帯端末４のユーザが自宅に滞在している可能性の高い時間帯のことであり、ユーザ毎に任意に設定可能となっている。
【００２３】
ステップＳ４では、制御部４６は、現在の時刻が所定時間帯内であるか否かを判断し、所定時間帯である場合にはステップＳ５に移行し、所定時間帯でない場合にはステップＳ１に移行する。
ステップＳ５では、制御部４６は、Ｗｉ−Ｆｉ接続直前に接続していた基地局５０の識別情報を取得し、ステップＳ６に移行する。
【００２４】
ステップＳ６では、制御部４６は、同一所定時間帯内で総接続回数の更新が行われたか否かを判断し、行われている場合はステップＳ１に移行し、行われていない場合はステップＳ７に移行する。
ステップＳ７では、制御部４６は、取得した識別情報に対応する基地局５０の総接続回数を１増やすことで更新する。
ステップＳ８では、制御部４６は、総接続回数の一番多い基地局５０をホーム基地局と設定し、ステップＳ１に移行する。
【００２５】
このホーム基地局判断処理が一日に一度だけ基地局５０の総接続回数を１だけ増加させていくので、一日に所定時間帯が一度来ればホーム基地局の更新作業が一度行われることになる。
【００２６】
次に、デジタルサイネージ装置２で実行される当たり判定処理について説明する。図７は当たり判定処理の流れを示すフローチャートである。
ステップＳ２１では、デジタルサイネージ装置２の制御部２３は、リーダライター部３１に対して携帯端末４がかざされるとリーダライター部３１を制御して携帯端末４との近距離通信を実行する。
【００２７】
ステップＳ２２では、制御部２３は、ステップＳ２１での近距離通信によって、携帯端末４に登録されているホーム基地局の識別情報の取得を完了したか否かを判断し、完了した場合にはステップＳ２３に移行し、完了していない場合にはステップＳ２５に移行する。
ステップＳ２３では、制御部２３は、取得した識別情報からホーム基地局の位置情報を取得する。この際、ネットワークを介してサーバに接続し、当該サーバ３から識別情報を基にしてホーム基地局の位置情報を取得する。なお、各基地局５０の位置情報が記憶部２５に記憶されているのであれば記憶部２５からホーム基地局の位置情報を取得することも可能である。
【００２８】
ステップＳ２４では、制御部２３は、ホーム基地局の位置情報の取得を完了したか否かを判断し、完了した場合にはステップＳ２６に移行し、完了していない場合にはステップＳ２５に移行する。
ステップＳ２５では、制御部２３は、プロジェクタ２４を制御して、ホーム基地局の識別情報や位置情報が取得できていない旨を示す未取得通知表示を実行し、ステップＳ２１に移行する。これにより、携帯端末４との近距離通信が促される。
【００２９】
ステップＳ２６では、制御部２３は、景品情報決定処理を実行する。
図８は景品情報決定処理の流れを示すフローチャートである。
ステップＳ２６１では、制御部２３は、ホーム基地局の位置情報と、デジタルサイネージ装置２の位置情報に基づいて両者間の距離を算出する。
ステップＳ２６２では、制御部２３は、算出した距離が基準値Ｐよりも近い場合は、携帯端末４のユーザの主要滞在エリアが近距離区間Ｒ１としてステップＳ２６３に移行する。他方、算出した距離が基準値Ｐよりも遠い場合は、制御部２３は、携帯端末４のユーザの主要滞在エリアが遠距離区間Ｒ２としてステップＳ２６４に移行する。
【００３０】
ステップＳ２６３では、制御部２３は景品情報の内容を近距離区間Ｒ１用の商品群Ａから選択し、ステップＳ２６５に移行する。
ステップＳ２６４では、制御部２３は景品情報の内容を遠距離区間Ｒ２用の商品群Ｂから選択し、ステップＳ２６５に移行する。
ステップＳ２６５では、制御部２３は、携帯端末４のユーザの主要滞在エリアが各区間Ｒ１，Ｒ２内での位置を特定して当選確率を決定する。具体的には区間Ｒ１の場合、デジタルサイネージ装置２の位置情報を基準としてホーム基地局の位置情報との位置を特定し、区間内の位置を決定し、区間Ｒ２の場合、基準値Ｐを基準としてホーム基地局の位置情報との位置を特定する。これにより、区間内での位置を特定することができる。当選確率は例えば、ある値に対して区間内の位置に対して線形に増加するようにしてもよいし、非線形でも良い、また、所定の値に区間内の位置に応じた値にある値をかけたものをたしてもよい。制御部２３は、当選確率を景品情報の内容の一部として設定し、景品情報決定処理を終了してから、ステップＳ２７に移行する。
【００３１】
図７に示すようにステップＳ２７では、制御部２３は乱数を発生させて景品情報内の当選率と比較することでくじ引きを実行する。つまり、制御部２３が本発明に係るくじ引き手段である。
ステップＳ２８では、制御部２３は、プロジェクタ２４を制御して、くじ引きの結果を表示する。
ステップＳ２９では、制御部２３は、くじ引きの結果がハズレの場合はそのまま終了し、当たりの場合はステップＳ３０に移行する。
【００３２】
ステップＳ３０では、制御部２３は、プロジェクタ２４を制御して、近距離通信要求表示を実行する。
ステップＳ３１では、制御部２３は、リーダライター部３１と携帯端末４とが通信可能な状態か否かを判断し、通信可能な状態であればステップＳ３２に移行し、通信ができない状態であればステップＳ３０に移行して、携帯端末４がリーダライター部３１にかざされるまで待機する。
ステップＳ３２では、制御部２３は、ステップＳ２６３或いはステップＳ２６４で選択した景品情報を、リーダライター部３１を介して携帯端末４に出力する。これにより、景品がユーザに提供される。つまり、制御部２３が本発明に係る通信制御手段である。
【００３３】
以上のように、本実施形態によれば、携帯端末４の位置情報から特定された携帯端末４の主要滞在エリアとデジタルサイネージ装置２との距離に基づいて景品情報の内容が決定されているので、携帯端末４のユーザの主要滞在エリアとデジタルサイネージ装置２との距離感に応じて販売促進効果の高い景品を提供することができる。したがって、より高い広告効果を発揮することができる。
【００３４】
また、デジタルサイネージ装置２で決定した景品情報がリーダライター部３１から携帯端末４に出力されているので、紙などの別の媒体に出力しなくとも、ユーザが所有する携帯端末４に直接景品を提供することができる。
【００３５】
なお、本発明は上記実施形態に限らず適宜変更可能である。
例えば上記実施形態では、表示装置として投影式のデジタルサイネージ装置２を例示して説明したが、液晶パネル或いは有機ＥＬパネルを用いたデジタルサイネージ装置を表示装置として適用することも可能である。
【００３６】
また、本実施形態では、デジタルサイネージ装置２との通信を行うため、それ専用のアプリケーションを実行するようになっているが、これ以外にも携帯端末４に搭載されているインターネットブラウザによってネット上のアプリケーションを実行することでデジタルサイネージ装置２との通信を行うことも可能である。
【００３７】
また、上述したような総接続回数に基づいてホーム基地局を決定する手法以外にも、基地局の接続リストが取得可能であるならば、その接続リストから一日あたり若しくは所定時間帯あたりで最も接続回数の多い基地局をホーム基地局と設定することも可能である。
上記実施形態では、携帯端末４が接続した基地局に基づいて位置情報が作成されている場合を例示して説明したが、携帯端末４がＧＰＳ機能を搭載しているものであれば、そのＧＰＳによる計測結果を位置情報として用いることも可能である。また、携帯端末４に対してユーザの自宅住所を登録可能としておけば、その自宅住所を位置情報として用いることも可能である。
なお、本実施形態のように携帯端末４が接続した基地局５０に基づいて位置情報が作成されていると、ユーザに個人情報が用いられていることを意識させずに主要滞在エリアを特定することが可能である。
【００３８】
また、上記実施形態では、当たり判定決定処理をデジタルサイネージ装置２で実行する場合について例示したが、当たり判定決定処理をサーバ３で実行することも可能である。この場合、リーダライター部３１を介してデジタルサイネージ装置２が取得した携帯端末４からの情報が通信部２６から入力されると、サーバ３は、携帯端末４の位置情報から特定された主要滞在エリアとデジタルサイネージ装置２との距離に基づいて景品情報の内容を決定し、当該決定した景品情報をデジタルサイネージ装置２に出力するようになっている。
【００３９】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００４０】
〔付記〕
＜請求項１＞
位置情報を有する携帯端末と通信自在な表示装置において、
前記携帯端末と通信を行うための通信部と、
前記通信部を介して取得した前記携帯端末からの情報を基に景品情報を決定する制御部とを備え、
前記制御部は、前記携帯端末の位置情報から特定された前記携帯端末の主要滞在エリアと前記表示装置との距離に基づいて前記景品情報の内容を決定することを特徴とする表示装置。
＜請求項２＞
請求項１記載の表示装置において、
前記制御部は、決定した前記景品情報を前記通信部から前記携帯端末に出力させることを特徴とする表示装置。
＜請求項３＞
請求項１又は２記載の表示装置において、
前記位置情報は、前記携帯端末が接続した基地局に基づき作成されていることを特徴とする表示装置。
＜請求項４＞
請求項１〜３のいずれか一項に記載の表示装置において、
前記制御部は、前記主要滞在エリアが所定の距離毎の区間に位置するかを特定し、当該特定された区間によって前記景品情報の内容を決定することを特徴とする表示装置。
＜請求項５＞
請求項４記載の表示装置において、
前記制御部は、前記特定された区間内における前記主要滞在エリアの位置に基づいて前記景品情報の当選確率を変更することを特徴とする表示装置。
＜請求項６＞
請求項１〜５のいずれか一項に記載の表示装置において、
前記通信部は、近距離通信によって前記携帯端末と通信を行う近距離通信部であることを特徴とする表示装置。
＜請求項７＞
請求項１〜６のいずれか一項に記載の表示装置において、
前記景品情報に基づいて当選か否かを決定するくじ引き手段と、
前記くじ引き手段が当選したと決定した場合に、前記携帯端末に前記景品情報を前記通信部によって送信する通信制御部とを備えたことを特徴とする表示装置。
＜請求項８＞
請求項１〜７のいずれか一項に記載の表示装置において、
映像光を照射する投影部と、
前記投影部から照射された映像光を背面で受けて前面に投影する人型のスクリーン部とを備えることを特徴とする表示装置。
＜請求項９＞
位置情報を有する携帯端末と通信自在な表示装置と、
前記表示装置とネットワークを介して接続されたサーバとを備え、
前記表示装置は、
前記携帯端末と近距離通信を行うための近距離通信部と、
前記サーバと通信を行うための通信部とを備え、
前記サーバは、
前記近距離通信部を介して前記表示装置が取得した前記携帯端末からの情報が前記通信部から入力されると、前記携帯端末の位置情報から特定された前記携帯端末の主要滞在エリアと前記表示装置との距離に基づいて景品情報の内容を決定し、当該決定した前記景品情報を前記表示装置に出力することを特徴とする表示システム。
【符号の説明】
【００４１】
１      表示システム
２      デジタルサイネージ装置（表示装置）
３      サーバ
４      携帯端末
２１      投影部
２２      スクリーン部
２３      制御部（くじ引き手段、通信制御手段）
２４      プロジェクタ
２５      記憶部
２６      通信部
２７      表示部
２８      台座
２９      透光板
３０      撮像部
３１      リーダライター部（近距離通信部）
３２      操作部
３３      音声出力部
３４      音声入力部
５０      基地局
Ｎ      ネットワーク
【図１】
2014183526.tif 000003
【図２】
2014183526.tif 000004
【図３】
2014183526.tif 000005
【図４】
2014183526.tif 000006
【図５】
2014183526.tif 000007
【図６】
2014183526.tif 000008
【図７】
2014183526.tif 000009
【図８】
2014183526.tif 000010